(57)【要約】【課題】卓上で使うリビングカレンダーを紙製の３角筒体の構成とし、従来利用されていなかった３角筒体の裏面を、企業の広告情報のスペースとして利用し、広告用品として有効なものとする。【解決手段】長方形状のカレンダー用紙の表面２Ａに折り目の線４，４で区切って並べて形成した方形の３表示面５，５，５を、折り目の線４，４に沿って３角筒状に折り曲げ、両側端６，６を当接して、一方の側端６の差込み片７を他方の側端６の側縁部８の差し込み用スリットに差し込んで繋ぎ外し自在に連結し、前記３表示面５，５，５を３角筒側面としたリビングカレンダー１を組み立て、テーブル上に直立させて使用し、用紙の裏面に印刷した企業の広告情報を見たいときは、差込み片７を差し込み抜き外して簡易に元の長方形状に戻し、裏面を読める構成としている。【選択図】図１
2010125849.tif 000002
【特許請求の範囲】
【請求項１】
用紙の長方形の主部を折り目の線で区切って、その表面と裏面にそれぞれ方形の３表示面を並べて形成し、またその主部の両側端を繋ぎ外し自在に連結するため、一方の側端の中央に短小の台形状の差込み片を、他方の側端に小幅の台形状の側縁部をそれぞれ連設すると共に、その側縁部の折り目の中央に前記の差込み片に対応する差込み用スリットを開口し、また前記用紙の表面の３表示面には、中央の表示面にカレンダーを、左右の表示面に好ましいイラストとエッセーを組み合わせた生活文化情報と、企業の宣伝メッセージをそれぞれ印刷し、また用紙の裏面の３表示面には、左右の表示面に企業からお客への対話形式広告情報を、中央の表示面に前記対話形式広告情報に対するお客からの応答用のファクシミリ発信書をそれぞれ印刷して長方形状のカレンダー用紙を作製し、また次にその長方形状のカレンダー用紙の表面を表側にして３表示面、側縁部及び差込み片のそれぞれの折り目を裏側に向けて順次に折り曲げ、側縁部の折り目を対向する主部の側端の裏側に重ね合わせ、両側端を３角筒状に当接してから、一方の側端の差込み片を他方の側端の側縁部の差込み用スリットに差し込んで連結し、カレンダー用紙の表面の３表示面を３角筒体の表面にしたリビングカレンダーを組み立てるものであって、テーブル上に直立させて使用するごとくしたことを特徴とする広告媒体機能を備えたリビングカレンダー。
【請求項２】
お客がテーブル上のリビングカレンダーをじかに手に取って、その差込み片をその側縁部の差込み用スリットから抜き出して両側端の連結を外し、折り曲げた用紙を平面状に開いて、元の長方形状に戻すことにより、用紙の裏面が直視可能となって、その裏面に印刷された企業からの対話形式広告情報がお客に伝達され、またお客がその裏面に印刷された応答用のファクシミリ発信書を用いて、企業の前記広告情報に即時的に応答できるようにした構成を特徴とする請求項１に記載の広告媒体機能を備えたリビングカレンダー。
【請求項３】
リビングカレンダーの３角筒体の筒内寸法より小寸法の３角筒状の突出部を、大寸法の平板部に立設したカレンダー用立て台をテーブル上に付設し、３角筒体のリビングカレンダーを前記立て台の突出部に直立状態に立挿して使用するごとくしたことを特徴とする請求項１または２に記載の広告媒体機能を備えたリビングカレンダー。
【請求項４】
請求項１に記載の広告媒体機能を備えたリビングカレンダーの組み立てに使用される長方形状のカレンダー用紙。
【発明の詳細な説明】
【技術分野】
【０００１】  この発明は、家庭の居間や食堂のテーブル上に置いて使用する、生活文化情報を中心としたカレンダーであるリビングカレンダーに関するもので、特にお客に対する企業の宣伝用品として好適な紙製リビングカレンダーに関するものである。
【背景技術】
【０００２】  従来、カレンダーは生活必需品であるため、壁に吊り下げたり、テーブル上に置いたりして使用され、企業の宣伝用品として企業名を入れて提供されている。【０００３】  しかし壁に吊り下げるカレンダーは装飾性が要求されるため、写真や絵画に大きなスペースを取られ、企業名の外に企業の広告情報に利用可能なスペースは限られている。【０００４】  またテーブル上に置いて使用される卓上カレンダーは、場所を取らないように小型化され、また見やすいように立体化されているが、いずれもカレンダー表示が主体となり、やはり企業の広告情報に利用可能なスペースは限られている。【０００５】  また、用紙から折り曲げて多角錐体のカレンダーを組み立てるようにした、紙製の卓上カレンダーの提案（特開２００７−１６８２０７号参照）があるが、紙製の立体物は破損し易く取り扱いや輸送に手間がかかるため、企業からは用紙の状態で配布し、お客が折り曲げて多角錐体に組み立てるように配慮されている。【０００６】  上記の多角錐体カレンダーの提案は、放射方向に６個の正３角形状表示面を配分した正６角形状の用紙を用い、その６個の正３角形状表示面の間には１個所の切れ目と５個所の折り目が設けられ、またその切れ目から連続した６個の正３角形状表示面の表面と裏面には、それぞれ１月〜６月と７月〜１２月のカレンダーが順次に印刷してあって、その折り目を折り曲げて正３角〜正５角形状の角錐体に組み立てることにより３ヶ月〜５ヶ月分のカレンダーが多面視可能となり、また用紙の表面と裏面を裏返しにすることで１年分のカレンダーが表示可能となることを特徴とした多角錐体の卓上カレンダーであるが、上記提案の立体化は多角錐体の形状にすると共に裏返しで用紙の表面と裏面の両面を表示できるようにしたもので、情報表示面を増加する手段として有効である。【０００７】
【特許文献】  特開２００７−１６８２０７号
【発明の開示】
【発明が解決しようとする課題】
【０００８】  以上述べたごとく、従来、カレンダーを企業の広告媒体として利用する試みはいろいろと行われてきたが、広告情報に利用可能なスペースを増やす好適な手段が見付からないために、広告媒体として満足がいく状態でなく、広告媒体として従来より利用度の高いカレンダーの提供が求められていた。【０００９】  この発明は上記の目的を達成するため、先ず従来技術の利点を生かして、安価で広告情報のスペースを増やすことのできる、用紙から折り曲げて立体状の卓上カレンダーを組立てる構成を採用するものであるが、紙製立体状カレンダーとしては、用紙の形状、折り曲げて組み立てる仕方及び有効な立体形状の点で、有効な立体化手段の提供が課題となる。【００１０】  次にこの発明は、この紙製立体状カレンダーの表面を生活文化情報を中心としたリビングカレンダーとして利用すると共に、表側から直視できないため従来利用されていなかった裏面を、企業の広告情報のスペースとして積極的に利用しようとするものであるが、裏面の直視できない企業の広告情報をお客に簡易に伝達する手段の提供が課題となる。
【課題を解決するための手段】
【００１１】  この発明は上記の課題を解決するための解決手段として、紙製で３角筒体のリビングカレンダーを提供するものであって、下記の種々の解決手段を集積することにより広告媒体として好適なリビングカレンダーを提供しようとするものである。【００１２】  またこの発明は、紙製３角筒体カレンダーの有効な立体化の解決手段として、長方形状の用紙から折り曲げて３角筒体の立体形状に組み立てようとするものであって、先ずそのカレンダー用紙としては、用紙の長方形の主部を折り目の線で区切って、その表面と裏面に方形の３表示面を並べて形成し、またその主部の両側端を繋ぎ外し自在に連結するため、一方の側端の中央に短小の台形状の差込み片を、他方の側端に小幅の台形状の側縁部をそれぞれ連設すると共に、その側縁部の折り目の中央に前記の差込み片に対応する差込み用スリットを開口する形状とするものである。【００１３】  またこの発明は、紙製３角筒体カレンダーの表示面の有効利用の解決手段として，表面の表示面はリビングカレンダーとしての体裁に利用するが、裏面の表示面は広告情報スペースを、企業のお客に対する対話形式広告情報に有効利用しようとするものであつて、前記カレンダー用紙の表面の３表示面には、中央の表示面にカレンダーを、左右の表示面に好ましいイラストとエッセーを組み合わせた生活文化情報と、企業の宣伝メッセージをそれぞれ印刷し、また用紙の裏面の３表示面には、左右の表示面に企業からお客への対話形式広告情報を、中央の表示面に前記対話形式広告情報に対するお客からの応答用のファクシミリ発信書をそれぞれ印刷して、特徴ある長方形状のカレンダー用紙を作製し、提供するものである。【００１４】  またこの発明は３角筒体のリビングカレンダーを組み立てる有効手段として、その用紙の表面を表側にして３表示面と側縁部の折り目を裏側に向けて順次に折り曲げ、側縁部を対側表示面の裏側に重ね合わせ、両側端を当接して３角筒状に折り曲げてから、側端の差込み片を折り曲げて側縁部の差込み用スリットに差し込んで連結し、カレンダー用紙の表面の３表示面を表側にした３角筒体のリビングカレンダーを組み立てるものであって、テーブル上に直立させて使用するものである。【００１５】  またこの発明は、３角筒体のリビングカレンダーの組み立てや輸送に手間をかけないように、企業からお客には長方形状のカレンダー用紙の状態で配布し、お客が折り曲げて３角筒体のリビングカレンダーに組み立てるようにしてあるが、特にカレンダー用紙の折り目の線には筋目を入れて折り曲げを容易にしてある。【００１６】  またこの発明は、カレンダー用紙を折り曲げてリビングカレンダーの３角筒体を組み立てるため、その用紙の裏面の企業の広告情報が３角筒体の裏側となって表側から直視できないことの解決手段として、３角筒体の両側端を繋ぎ外し自在に連結する構成とし、お客がリビングカレンダーをじかに手に取って、その差込み片をその側縁部の差込み用スリットから抜き出して簡易に連結を外し、折り曲げた用紙を平面状に開いて、元の長方形状に戻すことにより、３角筒体の裏側となっていたカレンダー用紙の裏面を見ることができ、裏面に印刷された企業からの対話形式広告情報がお客に伝達される構成としてある。【００１７】  またこの発明は、お客が企業から伝達された対話形式広告情報に対して、リビングカレンダーの裏面に印刷された応答用のファクシミリ発信書を用いることにより、即時的に応答できるように構成されている。【００１８】  またこの発明は、カレンダー用紙のカレンダーを印刷した表面を表側にして折り曲げて３角筒体のリビングカレンダーを組み立て、テーブル上に直立させて使用するものであるが、直立状態を安定して保持させるため、その３角筒体の筒内寸法より小寸法の３角筒状の突出部を大寸法の平板部に立設したリビングカレンダー用立て台をテーブル上に付設し、リビングカレンダーの３角筒体を前記立て台の突出部に直立状態に立挿させて使用する手段を提供するものである。
【発明の効果】
【００１９】  この発明によれば、お客は企業から配布されたカレンダー用紙の折り目の個所を折り曲げ、側端の差込み片を連結するだけで３角筒体のリビングカレンダーを組み立てできるから、便利で喜ばれる。【００２０】  この発明のリビングカレンダーの３角筒体の形状は、多角筒体、円筒体、角錐体に比べて折り曲げが簡単であり、またテーブル上に安定して直立し易く、設置に場所も取らず、また表面の表示面が鉛直平面状となるので印刷されたカレンダーや文字が読みやすい。【００２１】  この発明のリビングカレンダーは紙製であるので安価であり、企業からは長方形状のカレンダー用紙の状態で配布するだけでよく、取り扱いや輸送に手間がかからない。【００２２】  この発明の３角筒体カレンダーの表面の表示面はリビングカレンダーとしての体裁に利用するが、裏面の表示面は企業のお客に対する対話形式広告情報に利用し、特にファクシミリ発信書を印刷してお客からの即時的な応答を期待できるようにしているので、広告媒体として有効利用できる。【００２３】  従来、筒体状の広告体の裏側は表側から直視できないため広告情報には全く利用されていなかったが、この発明は３角筒体の両側端の連結を繋ぎ外し自在の構成とし、リビングカレンダーの裏面を見たいときは簡易に元のカレンダー用紙に戻して読み取ることができるようにしたので、３角筒体の裏側の広大なスペースの企業広告への利用が可能となる。【００２４】  この発明のリビングカレンダーに表示されるカレンダーの月数は、表示面の大きさから３ヶ月が好適であるので、年４回、季節の変わり目に更新して配布するようにすれば、企業とお客の間の緊密関係の存続に有効である。
【発明を実施するための最良の形態】
【００２５】
【００２６】  この発明のリビングカレンダーは、用紙の長方形の主部を折り目の線で区切って、その表面と裏面に方形の３表示面を並べ  て形成し、またその主部の両側端を繋ぎ外し自在に連結するため、一方の側端の中央に短小の台形状の差込み片を、他方の側端に小幅の台形状の側縁部をそれぞれ連設すると共に、その側縁部の折り目の中央に前記の差込み片に対応する差込み用スリットを開口し、また前記用紙の表面の３表示面には、中央の表示面にカレンダーを、左右の表示面に好ましいイラストとエッセーを組み合わせた生活文化情報と、企業の宣伝メッセージをそれぞれ印刷し、また用紙の裏面の３表示面には、左右の表示面に企業からお客への対話形式広告情報を、中央の表示面に前記対話形式広告情報に対するお客からの応答用のファクシミリ発信書をそれぞれ印刷して長方形状のカレンダー用紙を作製し、また次にその長方形状のカレンダー用紙の表面を表側にして３表示面、側縁部及び差込み片のそれぞれの折り目を裏側に向けて順次に折り曲げ、側縁部の折り目を対向する主部の側端の裏側に重ね合わせ、両側端を３角筒状に当接してから、一方の側端の差込み片を他方の側端の側縁部の差込み用スリットに差し込んで連結し、カレンダー用紙の表面の３表示面を３角筒体の表面にしたリビングカレンダーを組み立てるものであってテーブル上に直立させて使用するごとくしたものである。【００２７】  またこの発明のリビングカレンダーは、お客がテーブル上のリビングカレンダーをじかに手に取って、その差込み片をその側縁部の差込み用スリットから抜き出して両側端の連結を外し、折り曲げた用紙を平面状に開いて、元の長方形状に戻すことにより、用紙の裏面が直視可能となって、その裏面に印刷された企業からの対話形式広告情報がお客に伝達され、またお客がその裏面に印刷された応答用のファクシミリ発信書を用いて、企業の前記広告情報に即時的に応答できるようにしたものである。【００２８】  またこの発明のリビングカレンダーは、リビングカレンダーの３角筒体の筒内寸法より小寸法の３角筒状の突出部を大寸法の平板部に立設したカレンダー用立て台をテーブル上に付設し、３角筒体のリビングカレンダーを前記立て台の突出部に直立状態に立挿して使用するごとくしたものである。
【実施例】
【００２９】  以下、添付図面に従って一実施例を説明するが、図１は、この発明のリビングカレンダーの斜視図、図２は、リビングカレンダー用立て台の斜視図、図３は、長方形状のカレンダー用紙の表面の平面図、図４は、長方形状のカレンダー用紙の裏面の平面図である。【００３０】  図１において、リビングカレンダー１は長方形状のカレンダー用紙２から折り曲げて、図示のような３角筒体に組み立てられたものであって、テーブル上に直立させて使用され、その３角筒体の表面１Ａの直立した方形の３表示面の、中央の表示面６にはカレンダー１０が印刷され、見やすい状態に表示されている。【００３１】  図２において、リビングカレンダー用立て台２０は、リビングカレンダー１の３角筒体の筒内寸法より小寸法の３角筒状の突出部２１を、大寸法の平板部２２に立設した構成であって、テーブル上に設置し、その突出部２１にリビングカレンダー１を立挿して使用するもので、より安定した状態で直立させることができる。【００３２】  また立て台２０の材質は限定されないが、安価な合成樹脂製が好適である。【００３３】  図３及び図４において、長方形状のカレンダー用紙２は、用紙の長方形の主部３を折り目の線４で区切って、その表面２Ａと裏面２Ｂにそれぞれ方形の３表示面５、５、５を並べて形成し、またその主部の両側端６、６には、一方の側端６の中央に小さい台形状の差込み片７を、他方の側端６に小幅の側縁部８をそれぞれ連設すると共に、その側縁部８の側端折り目４Ａの中央には前記の差込み片７に対応する差込み用スリット９を開口してある。【００３４】  なお差込み片７、側縁部８及び差込みスリット９は、カレンダー用紙２を３角筒体に組み立てるため、主部３の両側端６、６の側縁部８と差込み片７の折り目４Ａ、４Ｂを当接させたとき、繋ぎ外し自在に差込み連結できるようにしたものであって、この発明の要旨の範囲内での形状や大きさの変更は実施できるものである。【００３５】  またカレンダー用紙の表面２Ａの３表示面５、５、５には、中央の表示面にカレンダー１０を、左右の表示面に好ましいイラスト１１とエッセー１２を組み合わせた生活文化情報と、企業の宣伝メッセージ１３をそれぞれ印刷し、また用紙の裏面２Ｂの３表示面５、５、５には、左右の表示面に企業からお客への対話形式広告情報１４を、中央の表示面に前記対話形式広告情報１４に対するお客からの応答用のファクシミリ発信書１５をそれぞれ印刷してある。【００３６】  なお表面２Ａの宣伝メッセージ１３は企業からの一方的な広告情報であり、裏面２Ｂの対話形式広告情報１４はお客からの応答を希望する広告情報である。【００３７】  また表面２Ａの表示面６の好ましいイラスト１１とエッセ１２ーを組み合わせた生活文化情報の印刷はイラストとエッセーに限定されるものではなくて、写真や詩歌等であってもよく、生活文化情報の要旨に好適なものであればよい。【００３８】  またファクシミリ発信書１５を印刷した前記の長方形状のカレンダー用紙２は、そのまま汎用のファクシミリ送信機にセットできるように、その大きさがＡ４サイズ以下、厚みが０．２ｍｍ以下に制限され、またセットし易いように台形状の側縁部８が長方形の主部３の側端６と平行に形成���れている。【００３９】  また次にその長方形状のカレンダー用紙の表面２Ａを表側にして、３表示面５、５、５、側縁部８及び差込み片７のそれぞれの折り目４、４Ａ、４Ｂを裏側に向けて順次に折り曲げ、側縁部８の折り目４Ａを対向する主部の側端６の裏側に重ね合わせ、両側端６、６を３角筒状に当接してから、一方の側端６の差込み片７を他方の側端６の側縁部８の差込み用スリット９に差し込んで連結し、図１に図示のごとく、カレンダー用紙の表面２Ａの３表示面５、５、５を３角筒体の表面１Ａにしたリビングカレンダー１が組み立てられる。【００４０】  なおカレンダー用紙２の折り目の線４、４Ａ、４Ｂには筋目が入れてあって、曲げやすいように考慮されている。【００４１】  またリビングカレンダー１の３角筒体は、同じ方形の３表地面５、５、５からなる正３角筒状に形成したほうが外観や安定性がよいが、中央の表示面５の幅を拡げた２等辺３角筒状に形成してカレンダーの表示１０を大きく目立つようにしてもよい。【００４２】  またリビングカレンダー１の３角筒体の表側１Ａから直視できない裏側１Ｂを見たいときは、テーブル上のリビングカレンダー１をじかに手に取って、その繋ぎ外し自在の差込み片７を差込み用スリット９から抜き出して両側端６、６の連結を外し、折り曲げた用紙２を平面状に開いて、元の長方形状に戻すようにすれば、裏側１Ｂとなっていたカレンダー用紙の裏面２Ｂを見ることができる。【００４３】  かくしてカレンダー用紙の裏面２Ｂに印刷された企業からの対話形式広告情報１４がお客に伝達され、またお客からはその裏面２Ｂに印刷された応答用のファクシミリ発信書１５を用いて、前記広告情報１４に対する即時的応答が期待できるようにしてある。
【産業上の利用可能性】
【００４４】  この発明の紙製リビングカレンダーは、企業にとって用紙の状態で配布するから安価で手間をかげずに提供でき、またお客にとっては組み立てが簡易で、手近で見やすく利便性があるため喜ばれ、また３角筒体の裏側の情報を差込みを外して見ることは刺激的であるので、特に対話形式広告情報の利用に適しており、企業の宣伝用品として好適である。
【図面の簡単な説明】
【００４５】
【図１】  この発明のリビングカレンダーの斜視図である。
【図２】  リビングカレンダー用立て台の斜視図である。
【図３】  長方形状のカレンダー用紙の表面の平面図である。
【図４】  長方形状のカレンダー用紙の裏面の平面図である。
【符号の説明】
【００４６】１      リビングカレンダー
１Ａ    ３角筒体の表面（側）
１Ｂ    ３角筒体の裏面（側）
２      カレンダー用紙
２Ａ    カレンダー用紙の表面
２Ｂ    カレンダー用紙の裏面
３      長方形状の主部
４      折り目の線
４Ａ    側縁部の折り目
４Ｂ    差込み片の折り目
５      方形の表示面
６      主部の側端
７      差込み片
８      側縁部
９      差込み用スリット
１０    カレンダー印刷
１１    イラスト印刷
１２    エッセー印刷
１３    宣伝メッセージ印刷
１４    対話形式広告情報印刷
１５    ファクシミリ発信書印刷
２０    リビングカレンダー用立て台
２１    突出部
２２    平板部
【図１】
2010125849.tif 000003
【図２】
2010125849.tif 000004
【図３】
2010125849.tif 000005
【図４】
2010125849.tif 000006